(57)【特許請求の範囲】
【請求項１】
静止画像データを表示可能な表示部と、
ユーザにより操作される方向に傾き、前記操作が終了すると元の位置に戻る突起部と、
前記突起部が傾いたときに前記操作により前記突起部に加えられた圧力を検知し、前記突起部が元の位置に戻ったときに前記操作の終了による前記圧力の低下を検知する圧力検知手段と、
前記圧力検知手段により前記圧力の低下が検知された場合、前記表示部に表示中の静止画像データのページを切り替える制御を行う制御手段と、
を有し、
前記突起部は、直方体状の部材の最大の面が前記表示部の中央から周囲に向かう所定の方向に直交するよう、前記直方体状の部材の最大の面でない一面が前記表示部と同一面であって前記表示部の周囲に複数配置されることにより構成されることを特徴とするページビュー切替装置。
【請求項２】
前記突起部は柵状の部材であり、
前記柵状の部材が等間隔で並列に複数配置されることを特徴とする請求項１記載のページビュー切替装置。
【請求項３】
前記操作により前記突起部が傾いた方向を検知する方向検知手段をさらに有し、
前記制御手段は、
前記方向検知手段により検知された方向に応じて、ページを先に送るページ送り又はページを前に戻すページ戻しのいずれかを行うように制御することを特徴とする請求項１又は２記載のページビュー切替装置。
【請求項４】
前記突起部にはページ数が予め設定され、
前記制御手段は、
前記圧力検知手段により前記圧力の低下が検知された場合、前記予め設定されたページ数分の切り替えを行うことを特徴とする請求項１から３のいずれか１項に記載のページビュー切替装置。
【発明の詳細な説明】
【技術分野】
【０００１】
本発明は、表示中の静止画像データのページを切り替えるページビュー切替装置に関する。
【背景技術】
【０００２】
ユーザが、情報処理装置において、電子書籍等の複数ページからなる静止画像データを閲覧する場合、例えば、マウスでクリックしたり、又は、タッチパネル上で指やスタイラスペンをスライドさせたりして、表示中のページを捲る（切り替える）操作を行っていた。しかしながら、このような操作は、実際の書籍におけるページ捲りとは感覚が異なるため、ユーザが、ページを捲る量を直感的に捉えることは難しい。よって、ページの送りすぎや戻りすぎが発生し、閲覧上のストレスとなるという問題があった。
【０００３】
特許文献１には、タッチパネル上に設けられた突部にユーザが触れることでクリック感を得られる操作ができ、その操作としてページ捲りができるといった技術が開示されている。しかし、クリック感は、実際の書籍におけるページ捲りとは感覚が異なる。よってこの技術でも、ユーザがページを捲る量を直感的に捉えることは難しく、上述したような閲覧上のストレスは解消されない。
【先行技術文献】
【特許文献】
【０００４】
【特許文献１】特開２００２−１６９６５３号公報
【発明の概要】
【発明が解決しようとする課題】
【０００５】
本発明は、上記事情に鑑みてなされたものであり、実際の書籍におけるページ捲りに近い直感的な操作により、表示中の静止画像データのページ切り替えを実現できるページビュー切替装置を提供することを目的とする。
【課題を解決するための手段】
【０００６】
かかる目的を達成するために、本発明のページビュー切替装置は、静止画像データを表示可能な表示部と、ユーザにより操作される方向に傾き、操作が終了すると元の位置に戻る突起部と、突起部が傾いたときに操作により突起部に加えられた圧力を検知し、突起部が元の位置に戻ったときに操作の終了による圧力の低下を検知する圧力検知手段と、圧力検知手段により圧力の低下が検知された場合、表示部に表示中の静止画像データのページを切り替える制御を行う制御手段と、を有し、突起部は、直方体状の部材の最大の面が表示部の中央から周囲に向かう所定の方向に直交するよう、直方体状の部材の最大の面でない一面が表示部と同一面であって表示部の周囲に複数配置されることにより構成されることを特徴とする。
【発明の効果】
【０００７】
本発明によれば、実際の書籍におけるページ捲りに近い直感的な操作により、表示中の静止画像データのページ切り替えを実現することが可能となる。
【図面の簡単な説明】
【０００８】
【図１】本発明の一実施形態に係るタブレット端末の正面外観の一例を示す図である。
【図２】本発明の一実施形態に係る操作部の上面及び側面の一例を示す図である。
【図３】本発明の一実施形態に係るページ切り替え制御（ページ送り）の一例を説明する図である。
【図４】本発明の一実施形態に係るページ切り替え制御（ページ戻し）の一例を説明する図である。
【発明を実施するための形態】
【０００９】
以下、本発明を実施するための形態（実施形態）について添付図面を参照して詳細に説明する。
【００１０】
以下では、本実施形態のページビュー切替装置をタブレット端末に適用した例について説明するが、これに限定されない。本実施形態のページビュー切替装置は、据え置きタイプ、携帯タイプを問わず、情報処理装置及びその周辺機器全般に適用することができる。例えば、ＰＣ（Personal Computer）、スマートフォン、携帯電話、ゲーム機、電子書籍端末、キーボード、マウスなどに適用できる。
【００１１】
図１は、本実施形態のタブレット端末１０の正面の外観の一例を示す図である。図１に示すように、タブレット端末１０は、表示部１１と、その左右両側に操作部１２を備える。図１では例として、ユーザが右手で操作する用と左手で操作する用の２つの操作部１２が備えられている。操作部１２は、本実施形態における特徴的な構成であり、実際の書籍におけるページ捲りに近い直感的な操作を実現するためのデバイスである。その詳細は、後述する。
【００１２】
また、図１に示すタブレット端末１０の内部には、操作部１２にて受け付けた操作を基に表示部１１に表示する静止画像データのページを切り替える制御を行う制御手段が備えられている。制御手段は、例えば、タブレット端末１０全体を制御するためのＣＰＵ（Central Processing Unit）、ＲＡＭ（Random Access Memory）等で構成される。表示部１０に表示される静止画像データは、複数のページで構成された電子データ（例えば、電子書籍データ）である。制御手段により実現されるページの切り替え制御としては、ページを先に送る「ページ送り」及びページを前に戻す「ページ戻し」がある。
【００１３】
ユーザは、表示部１１に表示される静止画像データを閲覧する際に、表示中のページを先に進めたい場合は、表示部１１の右側に位置する右手用の操作部１２に右手の指（例えば親指）を載せて、実際の書籍でページ捲りを行うようにその指を動かす（例えば操作部１２上の指を右方向へ移動させる）。この操作を受け付けると、制御手段は、表示部１１において、これまで表示していたページから先のページを表示するように切り替える。また、ユーザは、表示部１１に表示される静止画像データを閲覧する際に、表示中のページを前に戻したい場合は、表示部１１の左側に位置する左手用の操作部１２に左手の指（例えば親指）を載せて、実際の書籍でページ捲りを行うようにその指を動かす（例えば操作部１２上の指を左方向へ移動させる）。この操作を受け付けると、制御手段は、表示部１１において、これまで表示していたページから前のページを表示するように切り替える。
【００１４】
次に、操作部１２の構成例について、図２を参照して説明する。図２（ａ）は、操作部１２の上面の断面を示す図であり、図２（ｂ）は、操作部１２の側面（図１においてユーザが位置する側からの側面）を示す図である。
【００１５】
図２（ａ）、（ｂ）に示すように、操作部１２は、配線１４、突起部１５、センサ１６（圧力検知手段の一例）をそれぞれ複数有して構成される。図２（ａ）に示すように、配線１４は格子状となっており、各交点にはセンサ１６が設けられている。各センサ１６の上には、図２（ａ）、（ｂ）に示すように、柵状（直方体状）の突起部が等間隔で並列に配置されている。突起部１５は、例えばゴムなどの弾性部材で構成されている。
【００１６】
ユーザは、突起部１５の上面に指を載せ、その指を所定方向に移動させることで、擬似的なページ捲り動作を行う。ユーザが所定の突起部１５の上面に指を載せたとき、指が載せられた突起部１５の下部に配置されているセンサ１６は、当該突起部１５に加えられた圧力を検知し、配線１４を介して図示しない制御手段へ圧力検知信号を送出する。その後、ユーザが指を移動させて所定の突起部１５の上面から指を離したとき、指が離された突起部１５の下部に配置されているセンサ１６は、当該突起部１５に加えられていた圧力の低下を検知し、配線１４を介して図示しない制御手段へ圧力低下検知信号を送出する。この圧力低下検知信号が入力された制御手段は、ページ切り替え制御として、ページ送り又はページ戻しを行う。
【００１７】
次に、図３を参照して、ページ切り替え制御の具体例について説明する。図３（ａ）〜（ｃ）において、上図は突起部１５の上面に指が置かれた状態を模式的に示す図であり、下図は上図に示される状態のときにセンサ１６が検知する圧力を示すグラフである。なお、図３は、右手用の操作部１２が操作されて、ページ送りが実行される例について示している。
【００１８】
ユーザは、表示部１１に表示中のページを先に進めたい場合、右手用の操作部１２において、例えば右手の親指を突起部１５の上面に載せ、右斜め下に力を加える。これにより、図３（ａ）の上図に示すように、突起部１５が右方向（矢印ａに示す方向）に傾く。図３（ａ）の上図の例では、ユーザが、突起部１５全てに指を載せている状態を示している。このとき、指が載せられた突起部１５に対応して設けられたセンサ１６は、図３（ａ）の下図に示すように、圧力ｐを検知する。この検知結果は、圧力検知信号として、センサ１６から配線１４を介して制御手段へ出力される。制御手段は、図３（ａ）の下図に示すように、全ての突起部１５において圧力ｐが検知されたことを認識する。
【００１９】
次に、ユーザは、１ページ先に進めたい場合、図３（ａ）の上図の状態において、右手の親指を右方向（矢印ａに示す方向）に移動させ、一番左（ｘ１）に位置する突起部１５から指を離す。これにより、図３（ｂ）の上図に示すように、一番左の突起部１５はその弾性力により、傾いた状態から元の位置に戻る。このとき、指が離された突起部１５に対応して設けられたセンサ１６は、図３（ｂ）の下図に示すように、圧力ｐの低下（図の例では０）を検知する。この検知結果は、圧力低下検知信号として、センサ１６から配線１４を介して制御手段へ出力される。制御手段は、図３（ｂ）の下図に示すように一番左（ｘ１）の突起部１５において圧力低下が検知されたことを認識すると、ページ送り制御を行う。すなわち、制御手段は、表示部１１において、表示中のページを、１ページ分先に進めたページを表示するように切り替える。
【００２０】
ユーザがさらに１ページ先に進めたい場合、図３（ｂ）の上図の状態において、右手の親指を右方向（矢印ａに示す方向）に移動させ、左端から２番目（ｘ２）に位置する突起部１５から指を離す。これにより、図３（ｃ）の上図に示すように、左から２番目の突起部１５はその弾性力により、傾いた状態から元の位置に戻る。このとき、指が離された突起部１５に対応して設けられたセンサ１６は、図３（ｃ）の下図に示すように、圧力ｐの低下（図の例では０）を検知する。この検知結果は、圧力低下検知信号として、センサ１６から配線１４を介して制御手段へ出力される。制御手段は、図３（ｃ）の下図に示すように左から２番目（ｘ２）の突起部１５において圧力低下が検知されたことを認識すると、ページ送り制御を行う。すなわち、制御手段は、表示部１１において、表示中のページを、１ページ分先に進めたページを表示するように切り替える。
【００２１】
なお、図３（ｃ）の上図の状態以降において、ユーザが指を右方向に移動させていき、一番右の突起部１５から指を離すと、全ての突起部１５が元の位置に戻る（図２（ｂ）に示す状態となる）。よって、その後もページ送りを行いたい場合、ユーザは再度、指を図３（ａ）の上図に示すように突起部１５に載せて、右方向に移動させていけばよい。このように突起部１５において指の移動を繰り返すことで、静止画像データのページ数が多い場合でもページ送りを行うことができる。
【００２２】
以上がページ送り制御の例であるが、ページ戻し制御も上記同様である。ページ戻し制御の例について、図４を参照して説明する。
【００２３】
ユーザは、表示部１１に表示中のページを前に戻したい場合、左手用の操作部１２において、例えば左手の親指を突起部１５の上面に載せ、左斜め下に力を加える。これにより、図４（ａ）に示すように、突起部１５が左方向（矢印ｂに示す方向）に傾く。図４（ａ）の例では、ユーザが、突起部１５全てに指を載せている状態を示している。このとき、指が載せられた突起部１５に対応して設けられたセンサ１６は、圧力（所定値）を検知する。この検知結果は、圧力検知信号として、センサ１６から配線１４を介して制御手段へ出力される。制御手段は、全ての突起部１５において圧力（所定値）が検知されたことを認識する。
【００２４】
次に、ユーザは、１ページ前に戻したい場合、図４（ａ）の状態において、左手の親指を左方向（矢印ｂに示す方向）に移動させ、一番右に位置する突起部１５から指を離す。これにより、図４（ｂ）に示すように、一番右の突起部１５はその弾性力により、傾いた状態から元の位置に戻る。このとき、指が離された突起部１５に対応して設けられたセンサ１６は、圧力の低下（例えば０）を検知する。この検知結果は、圧力低下検知信号として、センサ１６から配線１４を介して制御手段へ出力される。制御手段は、一番右の突起部１５において圧力低下が検知されたことを認識すると、ページ戻し制御を行う。すなわち、制御手段は、表示部１１において、表示中のページを、１ページ分前に戻したページを表示するように切り替える。
【００２５】
なお、図４（ｂ）の状態以降において、ユーザが指を左方向に移動させていき、一番左の突起部１５から指を離すと、全ての突起部１５が元の位置に戻る（図２（ｂ）に示す状態となる）。よって、その後もページ戻しを行いたい場合、ユーザは再度、指を図４（ａ）に示すように突起部１５に載せて、左方向に移動させていけばよい。このように突起部１５において指の移動を繰り返すことで、静止画像データのページ数が多い場合でもページ戻しを行うことができる。
【００２６】
このように本実施形態では、突起部１５を擬似的なページに見立て、ユーザが、突起部１５の上面に指を載せた状態で指を所定方向に移動させ、突起部１５から指を順に離していくと、離した突起部１５の数に応じて、表示中のページが切り替えられていく。なお、上記説明では、１つの突起部１５に対して「１ページ」が、切り替えられる数として予め設定されている場合とした。この切り替えられる数は、ユーザが任意に設定できるようにしてもよい。例えば１つの突起部１５に「２ページ」を予め設定した場合において、ユーザによる指の移動により所定の突起部１５が１つ元の位置に戻ると、それによる圧力低下を認識した制御手段は、表示部１１において、表示中のページを、２ページ分先に進めた（又は前に戻した）ページを表示するように切り替える。
【００２７】
また、上記説明では、図３（ａ）の上図や図４（ａ）に示すように、ユーザが、指を突起部１５の全てに載せるようにした場合を例としたが、指の載せ方はこれに限定されない。突起部１５の全てに指を載せる必要はなく、任意の位置にある突起部１５に指を載せ、そこから指を移動させるようにしてもよい。
【００２８】
また、上記説明では、図１に示すように右手用と左手用の２つの操作部１２を備える例としたが、数はこれに限定されない。例えば、操作部１２を１つだけ備えるようにしてもよい。その場合、１つの操作部１２にて、図３で説明した操作（ページ送りの操作）及び図４で説明した操作（ページ戻しの操作）を受け付けることになる。よって、どちらの操作が行われたのかを識別するために、ユーザが指を突起部１５に載せて力を加えたときにその突起部１５が傾く方向を検知する方向検知手段を備える必要がある。方向検知手段は、例えば、圧力検知手段として機能する図２のセンサ１６が方向検知機能を兼ね備えてもよいし、あるいは、圧力検知手段として機能する図２のセンサ１６とは別に、方向検知機能を備えたセンサを設けるようにしてもよい。方向検知機能を備えたセンサは、例えば、１つの突起部に対して複数設けられるようにし、突起部が右方向から弾かれたとき（図３）と突起部が左方向から弾かれたとき（図２）の圧力分布の変化を検知することにより、ページ送りの操作がされたか又はページ戻しの操作がされたかを検出するようにしてもよい。方向検知機能を備えたセンサは、図３（ａ）の上図に示すようにユーザにより突起部１５が右方向に傾けられると、傾きが右方向である旨を示す方向検知信号を、制御手段へ出力する。一方、方向検知機能を備えたセンサは、図４（ａ）に示すようにユーザにより突起部１５が左方向に傾けられると、傾きが左方向である旨を示す方向検知信号を、制御手段へ出力する。制御手段には予め、突起部１５の傾きが右方向である場合はページ送りを行い、突起部１５の傾きが左方向である場合はページ戻しを行うように設定されている。よって、制御手段は、入力された方向検知信号において、傾きが右方向を示す場合にはページ送り制御を実行するようにし、傾きが左方向を示す場合にはページ戻し制御を実行するようにする。このようにして、操作部１２が１つであってもページ送り及びページ戻しの両方を実現できる。
【００２９】
また、上記説明では、タブレット端末１０において、同一筐体に、操作部１２（突起部１５、センサ１６）及び制御手段を備える例としたが、これに限定されない。例えば、デスクトップパソコンに適用する場合、制御手段はＰＣ本体の筐体に内蔵し、操作部１２はキーボードやマウスといった、ＰＣ本体の筐体に接続される周辺機器に備えるようにしてもよい。
【００３０】
また、上記説明では、操作部１２がタブレット端末１０の正面に配置される例としたが、これに限定されない。例えば、操作部１２は、タブレット端末１０の側面にそれぞれ配置されてもよい。すなわち、操作部１２は、備えられる機器・装置においてユーザビリティを考慮した任意の位置に備えられればよい。
【００３１】
以上説明したように、本実施形態によれば、実際の書籍におけるページ捲りに近い直感的な操作により、表示中の静止画像データのページ切り替えを実現することができる。
【００３２】
以上、本発明の実施形態について説明したが、上記実施形態に限定されるものではなく、その要旨を逸脱しない範囲において種々の変形が可能である。
【符号の説明】
【００３３】
１０    タブレット端末
１１    表示部
１２    操作部（右手用）
１３    操作部（左手用）
１４    配線
１５    突起部
１６    センサ
【図１】
0005774364.tif 000002
【図２】
0005774364.tif 000003
【図３】
0005774364.tif 000004
【図４】
0005774364.tif 000005